(57)【要約】      （修正有）【課題】コンテンツの再生中に点数で好悪評価を行い、全体を評価してユーザーの嗜好性を的確に把握する。【解決手段】再生手段１６により再生されるコンテンツの好悪評価点数とコンテンツ名を入力する入力手段２０と、再生開始時刻から停止時刻までの時間を計測する計測手段１８と、前記点数や演算結果等の数値データおよびディスク状情報記録媒体に関する情報等を記憶する記憶手段１９とを備える。再生時、前記入力手段２０からの入力点数を順次前記記憶手段１９に記憶し、再生停止後に前記計測手段１８からの計測結果に基づいて、当該コンテンツの全体記録時間に対する再生時間の比率が予め設定した所定値に達している時、前記記憶手段１９に蓄積された複数の点数の合計値から平均値を演算し、この演算結果を前記コンテンツの評価点としてディスク状情報記録媒体の固有情報に対応させて前記記憶手段１９に記憶させる。【選択図】図１
2008210438.tif 000002
【特許請求の範囲】
【請求項１】
多数のコンテンツデータが記録されたディスク状情報記録媒体のコンテンツデータを再生させる再生手段と、
前記再生手段により再生されるコンテンツの好悪評価を点数で入力するとともに、コンテンツ名を入力する入力手段と、
前記コンテンツの再生開始時刻から再生停止時刻までの時間を計測する計測手段と、
前記点数や演算結果等の数値データおよび前記ディスク状情報記録媒体に関した情報等を記憶する記憶手段と、
前記コンテンツの再生時、前記入力手段からの入力点数を順次前記記憶手段に記憶させ、再生停止後に前記計測手段からの計測結果に基づいて、当該コンテンツの全体記録時間に対する再生時間の比率を計算し、この比率が予め設定した所定値に達しているとき、前記記憶手段に蓄積された複数の点数の合計値から平均値を演算し、この演算結果を前記コンテンツの評価点として前記ディスク状情報記録媒体の固有情報に対応させて前記記憶手段に記憶させる制御手段と、を備えた情報記録再生装置。
【請求項２】
前記入力手段からの情報や前記記憶手段に記憶された情報等を表示手段に出力する出力手段を備えてなることを特徴とする請求項１に記載の情報記録再生装置。
【請求項３】
前記入力手段が、テンキー、文字キー、記号キーおよび前記表示手段の画面に各種メニューを表示させるメニューキーを備えてなることを特徴とする請求項１または２に記載の情報記録再生装置。
【請求項４】
前記固有情報が、前記ディスク状情報記録媒体のシリアル番号、タイプ、記録可能時間を含むことを特徴とする請求項１に記載の情報記録再生装置。
【請求項５】
前記固有情報が、前記ディスク状情報記録媒体に記録されたコンテンツのタイトル、トラック数、チャプター数、ジャンルおよび放送チャンネルを含むことを特徴とする請求項１に記載の情報記録再生装置。
【発明の詳細な説明】
【技術分野】
【０００１】
本発明は、ユーザーのコンテンツ評価によるコンテンツデータを記憶する情報記録再生装置に係り、特に、映像・音声情報の再生中にコンテンツ評価を可能とし得る情報記録再生装置に関する。
【背景技術】
【０００２】
ＤＶＤやＨＤといった光ディスクに映像・音声情報を記録し、再生するＤＶＤレコーダー等は、大量のコンテンツを蓄積記憶しておき、任意の方法で再生可能とする機能を有した機種が提供されている。
この一例として、煩雑な操作を要せずにユーザーの嗜好性を反映する情報とともにコンテンツデータを記録しておくコンテンツデータ記録再生装置が知られている。
このものは、コンテンツデータを再生する再生手段と、この再生手段により再生されたコンテンツに対して評価ポイントを入力する入力手段と、ＣＰＵからなる評価更新制御手段と、を備えている。
そして、この評価更新制御手段は、入力手段により入力された評価ポイントをコンテンツデータに対応づけて記憶手段に記録する。また、既に記録された評価ポイントを入力された評価ポイントに基づいて更新するようになっている。
これにより、入力手段における単純な操作で記憶手段に記憶されたコンテンツを整理することができる。また、所定値以上の評価ポイントを有するコンテンツを抽出して、このコンテンツを不規則に再生したり、評価ポイント順に再生することにより、評価ポイントに応じた再生を行うことができる。
従って、ユーザーは、煩雑な選択操作を行わなくても嗜好性や利用状況を反映した評価ポイントに基づき、再生コンテンツの選択を自動的に実行することができるというものである。
【特許文献１】特開２００５−３８５４１号公報また、再生コンテンツに対する使用者の好みを複数段階で合理的かつ精度良く評価することができる再生装置も提案されている。
【０００３】
この再生装置は、コンテンツの再生開始時刻からスキップされた時刻の時間差を計測する計測手段と、この時間差に基づいてスキップ前の再生コンテンツに使用者の好悪を反映する評価値を与える評価手段と、この与えられた評価値を再生コンテンツに関連づけて登録することにより嗜好情報を作成する作成手段とを備えて構成されている。
【０００４】
この再生装置によれば、コンテンツの再生開始時刻からスキップされた時刻の時間差を計測し、この時間差に基づいてスキップ前の再生コンテンツに使用者の好悪を反映する評価値を与える。
【０００５】
また、コンテンツの再生状況や再生履歴等を考慮し、再生コンテンツに使用者の好悪を反映する評価値を与えることにより、使用者に負担をかけることなく、その好みを複数段階で合理的かつ精度良く評価する。
【０００６】
これにより、使用者が特別な手間をかけなくても、再生結果から自動的に好みを把握でき、膨大な量のコンテンツから好みに合ったものを自動選択できるというものである。
【特許文献２】特開平２００５−１９０６４０号公報
【発明の開示】
【発明が解決しようとする課題】
【０００７】
ところで、上記特許文献１のコンテンツデータ記録再生装置は、ユーザーが煩雑な選択操作を行わなくても、嗜好性や利用状況を反映した評価ポイントに応じた再生を行うことができるが、コンテンツ全体を評価しているとは言い難い場合もあった。
例えば、ユーザーがコンテンツの最初の部分を視聴しただけで評価を下したり、最後の部分が悪いという印象で全体を低く評価することもあった。
【０００８】
従って、コンテンツの評価が客観的かつ合理的であるとは言い難く、この点を解決するシステムが待たれていた。
また、上記特許文献２の再生装置は、ユーザーの好みを複数段階で合理的かつ精度良く評価しようとするものであるが、前述の如く各コンテンツの最初、中間、最後といった再生の途中に評価点を付与した後、さらに、本編の何割が再生されているかという点を考慮しないので、コンテンツの評価には偏りが生じ易いという難点があった。
本発明は、上記課題に鑑みてなされたもので、コンテンツの再生中に点数でその評価を行うことにより、コンテンツ全体を評価してユーザーの嗜好性をより的確に反映させることができる情報記録再生装置を提供することを目的としている。                 
【課題を解決するための手段】
【０００９】
上記目的を達成するため、本発明による情報記録再生装置は、多数のコンテンツデータが記録されたディスク状情報記録媒体のコンテンツデータを再生させる再生手段と、前記再生手段により再生されるコンテンツの好悪評価を点数で入力するとともに、コンテンツ名を入力する入力手段と、前記コンテンツの再生開始時刻から再生停止時刻までの時間を計測する計測手段と、前記点数や演算結果等の数値データおよび前記ディスク状情報記録媒体に関した情報等を記憶する記憶手段と、前記コンテンツの再生時、前記入力手段からの入力点数を順次前記記憶手段に記憶させ、再生停止後に前記計測手段からの計測結果に基づいて、当該コンテンツの全体記録時間に対する再生時間の比率を計算し、この比率が予め設定した所定値に達しているとき、前記記憶手段に蓄積された複数の点数の合計値から平均値を演算し、この演算結果を前記コンテンツの評価点として前記ディスク状情報記録媒体の固有情報に対応させて前記記憶手段に記憶させる制御手段と、を備えたことを特徴としている。
【００１０】
また、前記入力手段からの情報や前記記憶手段に記憶された情報等を表示手段に出力する出力手段を備えてなることを特徴としている。
【００１１】
また、前記入力手段が、テンキー、文字キー、記号キーおよび前記表示手段の画面に各種メニューを表示させるメニューキーを備えてなることを特徴としている。
【００１２】
また、前記固有情報が、前記ディスク状情報記録媒体のシリアル番号、タイプ、記録可能時間を含むことを特徴としている。
【００１３】
また、前記固有情報が、前記ディスク状情報記録媒体に記録されたコンテンツのタイトル、トラック数、チャプター数、ジャンルおよび放送チャンネルを含むことを特徴としている。
【発明の効果】
【００１４】
以上説明したように、本発明による情報記録再生装置は、前記コンテンツの再生時、入力手段からの入力点数を順次記憶手段に記憶させるので、各コンテンツの最初、中間、最後といった再生の途中に評価点を付与してゆくことができ、従来のように、一部分の好悪評価で全体を決めつけるといった不具合が軽減される。
また、再生停止後に計測手段からの計測結果に基づいて、当該コンテンツの全体記録時間に対する再生時間の比率を計算し、この比率が予め設定した所定値に達しているとき、記憶手段に蓄積された複数の点数の合計値から平均値を演算し、この演算結果をコンテンツの評価点としてディスク状情報記録媒体の固有情報に対応させて記憶手段に記憶させるので、本編の何割が再生されているかという点が考慮され、コンテンツの評価に偏りが生じ難いといった効果がある。
また、前記入力手段からの情報や記憶手段に記憶された情報等を表示手段に出力する出力手段を備えているので、再生映像を見ながら表示画面に評価点を入力したり、コンテンツの再生終了後にそのタイトルを入力するといった操作を容易に行える利点がある。
また、前記入力手段が、テンキー、文字キー、記号キーおよび前記表示手段の画面に各種メニューを表示させるメニューキーを備えているので、リモコン等のキーを評価点の入力やタイトル名の入力に利用できるうえ、メニューキーを用いてテレビモニタの画面にメニュー項目を表示させ、その選択によって評価点やタイトル名を入力するといったことも可能になる利点がある。
また、前記固有情報が、ディスク状情報記録媒体のシリアル番号、タイプ、記録可能時間を含むことから、ＤＶＤやＣＤといった光ディスクの識別が正確になり、これらへのコンテンツ記録を支障なく行える利点がある。
また、前記固有情報が、ディスク状情報記録媒体に記録されたコンテンツのタイトル、トラック数、チャプター数、ジャンルおよび放送チャンネルを含むことから、前記光ディスクの識別が正確になり、これらにコンテンツを記録した後の再生をも支障なく行うことができる利点がある。
【発明を実施するための最良の形態】
【００１５】
以下、本発明に係る情報記録再生装置の実施形態について、図面を参照しながら詳述する。
図１は本発明の一実施形態である情報記録再生装置の電気的構成を示すブロック線図である。
本実施形態の情報記録再生装置は、ハードディスクレコーダー（ＨＤＤレコーダー）１に適用されたもので、テレビ放送番組の受信音声・映像情報を、ＭＰＥＧ（Moving Picture Experts Group）方式により圧縮符号化し、多重化したうえＭＰＥＧシステムのトランスポートストリーム（ＴＳ：Transport Stream）としてＨＤＤ１４内のハードディスク（ＨＤ）に更新記録し、この記録された音声・映像情報をＤＶＤ等に録画可能な構成となっている。
図１において、２はチューナであり、アンテナで受信されたテレビジョン放送の情報が導入されている。このチューナ２には、制御部２２の指令信号が導かれ、Ａ／Ｄ変換回路３および図示省略したＹ／Ｃ分離回路が接続されている。
【００１６】
そして、リモコン２０の入力操作に基づく制御部２２の指令により、選局されたチャンネルの受信信号がＡ／Ｄ変換回路（Ａ／Ｄ）３に送出される。
【００１７】
このＡ／Ｄ変換回路３は、アナログのテレビジョン信号をディジタル信号に変換し、ＭＰＥＧコーデック４側に送出する。
【００１８】
このＭＰＥＧコーデック４は、ＭＰＥＧ２ビデオエンコーダ（ビデオエンコーダ）５、オーディオエンコーダ６、マルチプレクサ／デマルチプレクサ７を備えて構成されている。
【００１９】
このＭＰＥＧコーデック４に前記ディジタル信号が入力すると、ディジタル映像信号はビデオエンコーダ５に伝送され、ディジタル音声信号はオーディオエンコーダ６に伝送される。
【００２０】
ビデオエンコーダ５は、ディジタル映像信号を圧縮してマルチプレクサ／デマルチプレクサ７に与え、オーディオエンコーダ６はディジタル音声信号を圧縮してマルチプレクサ／デマルチプレクサ７に与える。
【００２１】
このマルチプレクサ／デマルチプレクサ７は、入力した映像信号のストリームと音声信号のストリームとをマルチプレクスし、ＭＰＥＧ２のシステムストリームに変換するようになっている。
【００２２】
また、このマルチプレクサ／デマルチプレクサ７は、図示しないバッファメモリから受け取ったＭＰＥＧ２のシステムストリームを、映像信号のストリームと音声信号のストリームとにデマルチプレクスし、映像信号をビデオデコーダ８側に、音声信号をオーディオデコーダ１１側に送出する。
【００２３】
ビデオデコーダ８は、入力した映像信号のストリームをデコードし、Ｄ／Ａ変換器（Ｄ／Ａ）９に送出する一方、オーディオデコーダ１１は、音声信号のストリームをデコードしてＤ／Ａ変換器（Ｄ／Ａ）１２にそれぞれ送出する。
【００２４】
これらＤ／Ａ変換器９，１２は、入力信号をそれぞれアナログ信号に変換し、映像信号と音声信号とからなるアナログのテレビジョン信号を、出力端子    １０，１３を介して外部接続機器（本例ではＴＶ）側に供給するようになっている。
【００２５】
また、前記マルチプレクサ／デマルチプレクサ７は、制御部２２と双方向性に接続されている。
この制御部２２には、ＨＤＤ（ハードディスクドライバ）１５を制御するＨＤ記録／再生系１４と、ディスクドライバ（ドライバ）１７を制御するディスク記録／再生系１６とが接続されている。
ＨＤＤ１５は、記録指令に応じてＨＤにトランスポートストリームを書き込んで前記音声・映像信号を更新記録する。
また、再生指令に従って記録情報を再生し、ＴＶ側に送出する。さらに、ダビング指令に従って記録情報を再生しつつディスクドライバ１７に供給し、ＤＶＤに記録させる。
一方、ディスク記録／再生系１６は、ディスクドライバ１７を制御し、ＤＶＤに前記音声・映像信号を記録させたり、ＤＶＤから音声・映像信号を読み取らせ、その再生信号を出力する。
１８はカウンタであり、制御部２２からの指令に応じて、再生開始時刻と停止時刻とをカウントし、その時間カウントデータを送出する。
１９はワークメモリ（メモリ）であり、カウンタ１８による時間データや制御部２２による演算結果のデータ等を記憶する。
２０はリモコンであり、普及型の機種と同じくテンキー、メニューキー、決定キーおよびクリヤキーを備えている。また、再生したいコンテンツの検索、選択キー、指定したタイトルの再生開始、一時停止、早送り、早戻し、停止およびスキップキーといった各種機能キー、十字キーやカーソルキー（選択キーと兼用）も具備している。
【００２６】
このリモコン２０は、何れかのキーが押圧操作されると、この操作内容に応じた指令信号が赤外線信号で送信され、受信部２１を介してＨＤＤプレイヤー１の制御部２２側に送られる。
【００２７】
なお、メニューキーは、テレビ画面に各種メニューを表示させる一般的な指令に加え、「コンテンツ評価」に関した情報を入力示可能となっている。
【００２８】
例えば、評価点およびタイトル名等を入力する場合は、画面にキーボードを評価させて、任意の文字入力を可能にする。
また、テンキーは、評価点を入力するキーと兼用になっており、“５０”とか“８０” を入力すると、５０点や８０点の数値データとして送出される。
【００２９】
さらに、このテンキーには、文字や記号が割り当てられており、モード切替によって、任意の文字を選択しつつタイトル名を入力することができる。
【００３０】
制御部２２は、前記マルチプレクサ／デマルチプレクサ６を含むＨＤＤプレイヤー全体の動作を制御するマイクロコンピュータであり、前記回路各部とはその機能に応じて一方向性あるいは双方向性に接続されている。
【００３１】
また、この制御部２２は、リモコンからの指令を受けてＨＤＤに記録されたコンテンツを再生しつつ、その評価点の入力に伴う演算処理を実行する。
また、各種の設定値に基づいて、入力情報を判別し所定の動作を実行する。本例では、コンテンツの評価点を付与可能な再生時間として、本編記録全体に対する実際の再生部分の比率を予め９０％以上に設定してある。
また、図示省略したＯＳＤ（On Screen Display）からＴＶモニタ側に表示指令を送出し、画面にメニューを表示させて、コンテンツ評価やランキング表示の項目等を選択可能にしている。
前記コンテンツ評価が選択されると、コンテンツ評価モードに移行し、画面の下部に評価点やタイトルの入力ブランクを表示させ、リモコンのキー操作による点数およびタイトル名の入力動作を制御する。
さらに、ランキング表示が選択されると、ランキング評価モードに移行し、メモリ１９に蓄積されたデータから高い評価点の順にタイトルを並べて表示させたり、ジャンル別のランキングを表示させる、といった動作制御を行う。
次に、上記ＨＤＤレコーダーによるコンテンツ評価の動作について、図６のフローチャートを参照しつつ説明する。
ここでは、ＤＶＤのコンテンツとして、２時間の映画が記録されており、ユーザーが約３０分毎に評価してゆくものとする。
ユーザーが、再生しようとするＤＶＤの記録コンテンツに評価点を付与する場合、まず、リモコン２０のメニューキーを操作する。制御部２２は、これに応じてＴＶの画面２３にメニューを表示させる。
ユーザーがメニュー一覧の中からコンテンツ評価の項目を選択すると、制御部２２はコンテンツ評価モードに移行する（ステップＳ１１）。
これに伴い、制御部２２は、ディスク記録／再生系１６を制御し、ドライバ１７の動作によって予めＤＶＤに記録された情報を読み取らせる。そして、ＤＶＤのリードインエリヤに記録された管理情報を取得し、メモリ１９の所定エリヤに記憶させる。（ステップＳ１２）。
この取得管理情報は、ＤＶＤのタイプ、シリアル番号、記録可能時間等である。また、記録コンテンツのタイトル、トラック数、チャプター数、ジャンル、放送チャンネル、記録時間等も含まれている。これらは、各ＤＶＤの固有情報であり、再生時に必要な識別情報として用いられる。
つぎに、ユーザーが再生キーを操作すると、制御部２２は再生指令に応じてコンテンツの再生を開始させる（ステップＳ１３）。
【００３２】
これに伴い、ＴＶの画面２３に映画の映像が表示され（図2参照）、スピーカから音声が放音される。
また、制御部２２は画面２３の下部に、「点数」の文字と〔  〕とを並べた評価入力画像を表示させ（ステップＳ１４）、ブランク内への数値入力を促す。
ユーザーが映画を観ながら、約３０分が経過したときに、リモコンのテンキーを操作し、例えば、“８０”を入力すると、〔８０〕のように数字が表示される（ステップＳ１５）。
なお、入力値を修正したり、表示を消去したい場合は、クリヤキーを用いる。
ここで、入力値が良いとき、決定キーを押した時点の数値データが確定される。この数値データを受けた制御部２２は、内蔵タイマで計測された時間データとともに、前記メモリ１９における当該ＤＶＤに割り当てたエリヤに記憶させる（ステップＳ１６）。
このように、ユーザーが映画を観ながら、評価点の入力操作を３０分間隔で行ってゆくと、メモリ１９には点数を示す数値データが順次記憶されてゆく。
この映画を観終わった後、ユーザーが停止キーを押すと、制御部２２は再生動作を停止させるので、当該コンテンツの再生が終了する（ステップＳ１７）。
この終了時点で、制御部２２はカウンタ６の時間情報から、実際の再生時間の比率を演算する（ステップＳ１８）。
すなわち、このコンテンツの再生時間とメモリ１９の管理情報におけるコンテンツの記録時間に基づいて、本編記録全体に対する実際の再生部分の比率を算出する。
そして、この比率が９０％以上であるか否かを判別し、９０％に達していなければ、そのままコンテンツ評価モードを終了する。
すなわち、本編の記録全体に対する再生比率が低いものは、視聴する価値が低いために途中で再生を止めたことを意味している。
一方、比率が９０％以上であると、制御部２２はＴＶの画面に評価入力画像を表示させる（ステップＳ２０）。この際は、図３に示すように、タイトルの文字と〔  〕とを並べ、ブランクにタイトルの入力を促す（ステップＳ２１）。
ここで、ユーザーがリモコンのテンキーや文字キーを操作し、タイトルを入力すると、例えば、ＡＢＣＤといった映画名がメモリ１９に記憶される。
なお、市販のＤＶＤのように、予めタイトルが入っているものは、タイトル名を入力する必要がなく、制御部２２が管理情報を読み出して画面に表示させる。従って、このタイトル名に評価点を入力すれば良い、
但し、タイトル名や評価点を変更したり、画面２３の表示を消去したい場合は、前記クリヤキーを用いればよい。
このような入力が終了すると、制御部２２はメモリ１９に蓄積されている複数の数値データを合算し、その平均値を演算する。
また、この平均値を評価点として当該コンテンツのタイトルに対応させ、メモリ１９に記憶させる（ステップＳ２２）。
これにより、図５に示す如くメモリ１９のコンテンツ評価テーブルには、複数の数値データが記憶される。
この映画は１２０分であるが、３０分毎に異なる評価点が入力されている。すなわち、１回目は８０点、２回目は８５点、３回目は７０点、４回目は６５点である。
制御部２２は、これら４回分の合計３００点の平均値として７５点を算出する。これは、映画の最初、中間、最後を含み、全体の評価となっている。
このような評価をＤＶＤに記録された他のコンテンツにも行うと、複数のコンテンツについて評価点とタイトルとがメモリ１９に順次記憶される。
これは、他のＤＶＤについても同様であり、内容の異なるタイトル毎に評価点が付与される。
例えば、映画ＡＢＣＤは７５点、ＥＦＧＨは７５点、ＩＪＫは８０点といったように、各コンテンツ固有の情報として識別可能に記憶される。
この後、ユーザーが良いと思うコンテンツを友人に勧めたい場合、ランキング情報から容易に選択することができる。
まず、メニューキーを操作し、ランキング表示の項目を選択すると、この指令を受けた制御部２２はランキング表示モードを実行する。
このランキング表示モードでは、高い評価点の順にタイトルを並べて表示させるのが基本となっている。
しかし、スポーツ、バラエティ、ドラマ、アニメといったジャンル別にランキングを表示させることも可能である。
そして、ランキングから特定のコンテンツを選択すると、図４に示すように、画面２３には映画のタイトルＡＢＣＤと、その評価である７５点が表示される。
この映画は、９０％以上再生した内容について、約３０分おきに評価を加えているので、従来のように、最初や最後だけの評価に偏らず、全体の評価となっている。このため、単なる印象ではなく、具体的な点数により評価した映画を勧めることができる。
なお、本実施形態の情報記録再生装置は、ＨＤおよびＤＶＤの録画再生機能を備えた単体のハードディスクレコーダーに適用したものであるが、ＤＶＤに情報を記録し、この情報を再生したり、市販のＤＶＤを再生するＤＶＤレコーダーに適用することができることは勿論である。
また、ハードディスクレコーダー、ＤＶＤレコーダーまたはＤＶＤプレイヤーとテレビジョン受像機とを一体化したテレビ一体型の情報記録再生装置等にも適用することができる。
さらに、音声の記録・再生用ＣＤレコーダーやＣＤプレイヤーにも幅広く採用することができる。
なお、本発装置明は上記の各実施形態に限定されず、本発明の趣旨を逸脱しない範囲で、種々の変更が可能である。
【図面の簡単な説明】
【００３３】
【図１】本発明の一実施形態である情報記録再生装置の電気的構成を示すブロック線図である。
【図２】評価点の入力項目を示すＴＶの画面図である。
【図３】タイトルの入力項目を示すＴＶの画面図である。
【図４】コンテンツと評価点が表示された状態を示すＴＶの画面図である。
【図５】コンテンツ評価テーブルの一例を示すメモリの説明図である。
【図６】コンテンツ評価の動作を説明するためのフローチャートである。
【符号の説明】
【００３４】
１６    再生手段
１８    計測手段
１９    記憶手段
２０    入力手段
２２    制御手段
【図１】
2008210438.tif 000003
【図２】
2008210438.tif 000004
【図３】
2008210438.tif 000005
【図４】
2008210438.tif 000006
【図５】
2008210438.tif 000007
【図６】
2008210438.tif 000008